【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
遊技機前方から視認可能であり遊技球が流下する遊技領域に、
表示部に設定された複数の表示領域にてそれぞれ複数種の絵柄を変動表示する絵柄表示装置と、
前記遊技領域を流下する遊技球が入球可能な入球部と、
開閉部材を有し、該開閉部材が開状態となることで遊技球が入球し易くなると共に閉状態となることでそれよりも入球しにくくなり、さらに遊技球が入球可能な有利口を内部に有する入賞役物装置と
を備え、
該入賞役物装置は、該入賞役物装置の内部に遊技球が入球したことを検出する入口検出部を内部に有すると共に、
その内部における遊技機前方から視認可能な位置に、該入賞役物装置に入球した遊技球を前記有利口へ誘導可能とする誘導手段を有し、該誘導手段は予め設定された所定周期で前記有利口への誘導を可能とし、さらに該誘導手段に誘導された遊技球のみが前記有利口に入球する構成とし、
さらに、前記絵柄表示装置を表示制御する表示制御手段と、
前記入球部に遊技球が入球したか否かを判定する入球部入球判定手段と、
該入球部入球判定手段により前記入球部に遊技球が入球したと判定された場合に、前記開閉部材を開状態とする開閉部材制御手段と、
前記入口検出部により遊技球が検出されたか否かの判定を行う入口検出判定手段と、
前記有利口に遊技球が入球したか否かの判定を行う有利口入球判定手段と、
該有利口入球判定手段により有利口に遊技球が入球したと判定された場合に、遊技状態を遊技者に有利な特別遊技状態に移行させる特別遊技状態移行手段と
を備え、
前記表示制御手段は、
前記入口検出判定手段により前記入賞役物装置に遊技球が入球したと判定された場合に、前記各表示領域にて変動表示される絵柄により、前記表示部に特定絵柄の組合せが成立する可能性のある特定変動を開始するよう前記絵柄表示装置を表示制御する特定変動制御手段と、
前記有利口入球判定手段により前記有利口に遊技球が入球したと判定された場合に、前記特定絵柄の組合せが成立して前記特定変動を終了するよう前記絵柄表示装置を表示制御する特定絵柄停止制御手段と
を備え、
前記特定変動制御手段は、前記所定周期に対応して前記表示部に前記特定絵柄の組合せが位置するよう前記絵柄表示装置を表示制御する周期対応変動制御手段を備えたことを特徴とする遊技機。
【請求項２】
遊技機前方から視認可能であり遊技球が流下する遊技領域に、
表示部に設定された複数の表示領域にてそれぞれ複数種の絵柄を変動表示する絵柄表示装置と、
前記遊技領域を流下する遊技球が入球可能な入球部と、
開閉部材を有し、該開閉部材が開状態となることで遊技球が入球し易くなると共に閉状態となることでそれよりも入球しにくくなり、さらに遊技球が入球可能な有利口を内部に有する入賞役物装置と、
遊技球が入球し易い開放状態とそれよりも入球しにくい閉鎖状態とに切り換え可能な特定入賞装置とを備え、
前記入賞役物装置の内部における遊技機前方から視認可能な位置に、該入賞役物装置に入球した遊技球を前記有利口へ誘導可能とする誘導手段を設け、該誘導手段は予め設定された所定周期で前記有利口への誘導を可能とし、さらに該誘導手段に誘導された遊技球のみが前記有利口に入球する構成とし、
さらに、前記入球部に遊技球が入球したか否かを判定する入球部入球判定手段と、
該入球部入球判定手段により前記入球部に遊技球が入球したと判定された場合に、前記開閉部材を開状態とするか否かの抽選を行う抽選手段と、
該抽選手段の抽選結果に基づいて前記絵柄表示装置を表示制御する表示制御手段と、
前記抽選手段の抽選結果に基づいて前記開閉部材を開状態とする開閉部材制御手段と、
前記有利口に遊技球が入球したか否かを判定する有利口入球判定手段と、
該有利口入球判定手段により前記有利口に遊技球が入球したと判定された場合に、遊技状態を遊技者に有利な特別遊技状態に移行させる特別遊技状態移行手段と、
前記特別遊技状態下で、前記特定入賞装置を開閉制御する特定入賞装置制御手段と、
前記特定入賞装置に遊技球が入球した場合に、入球に応じた特典を遊技者に付与する特典付与手段とを備え、
前記表示制御手段は、
前記抽選手段の抽選結果が開状態当選の場合に、前記各表示領域にて変動表示される絵柄により、前記表示部に特定絵柄の組合せが成立する可能性のある特定変動を行うよう前記絵柄表示装置を表示制御する特定変動制御手段と、
前記有利口入球判定手段により前記有利口に遊技球が入球したと判定された場合に、前記特定絵柄の組合せが成立して前記特定変動を終了するよう前記絵柄表示装置を表示制御する特定絵柄停止制御手段とを備え、
前記特定変動制御手段は、前記所定周期に対応して前記表示部に前記特定絵柄の組合せが位置するよう前記絵柄表示装置を表示制御する周期対応変動制御手段を備えたことを特徴とする遊技機。
【請求項３】
遊技機前方から視認可能であり遊技球が流下する遊技領域に、
表示部に設定された複数の表示領域にてそれぞれ複数種の絵柄を変動表示する絵柄表示装置と、
前記遊技領域を流下する遊技球が入球可能な入球部と、
第１開閉部材を有し、該第１開閉部材が開状態である場合には遊技球が入球し易く閉状態となることでそれよりも遊技球が入球しにくくなる入賞装置と、
第２開閉部材を有し、該第２開閉部材が開状態となることで遊技球が入球し易くなると共に閉状態となることでそれよりも入球しにくくなり、さらに遊技球が入球可能な有利口を内部に有する入賞役物装置と、
遊技球が入球し易い開放状態とそれよりも入球しにくい閉鎖状態とに切り換え可能な特定入賞装置とを備え、
前記入賞役物装置の内部における遊技機前方から視認可能な位置に、前記入賞役物装置に入球した遊技球を前記有利口へ誘導可能とする誘導手段を設け、該誘導手段は予め設定された所定周期で前記有利口への誘導を可能とし、さらに該誘導手段に誘導された遊技球のみが前記有利口に入球する構成とし、
さらに、前記入球部に遊技球が入球したか否かを判定する入球部入球判定手段と、
該入球部入球判定手段により前記入球部に遊技球が入球したと判定された場合に、前記第１開閉部材を開状態とするか否かの抽選を行う抽選手段と、
該抽選手段の抽選結果に基づいて前記絵柄表示装置を表示制御する表示制御手段と、
前記抽選手段の抽選結果に基づいて前記第１開閉部材を開状態とする第１開閉部材制御手段と、
前記入賞装置に遊技球が入球したか否かを判定する入賞判定手段と、
該入賞判定手段により前記入賞装置に遊技球が入球したと判定された場合に、前記第２開閉部材を開状態とする第２開閉部材制御手段と、
前記有利口に遊技球が入球したか否かを判定する有利口入球判定手段と、
該有利口入球判定手段により前記有利口に遊技球が入球したと判定された場合に、遊技状態を遊技者に有利な特別遊技状態に移行させる特別遊技状態移行手段と、
前記特別遊技状態下で、前記特定入賞装置を開閉制御する特定入賞装置制御手段と、
前記特定入賞装置に遊技球が入球した場合に、入球に応じた特典を遊技者に付与する特典付与手段と
を備え、
前記表示制御手段は、
前記抽選手段の抽選結果が開状態当選の場合に、前記各表示領域にて変動表示される絵柄により、前記表示部に特定絵柄の組合せが成立する可能性のある特定変動を行うよう前記絵柄表示装置を表示制御する特定変動制御手段と、
前記有利口入球判定手段により前記有利口に遊技球が入球したと判定された場合に、前記特定絵柄の組合せが成立して前記特定変動を終了するよう前記絵柄表示装置を表示制御する特定絵柄停止制御手段と
を備え、
前記特定変動制御手段は、前記所定周期に対応して前記表示部に前記特定絵柄の組合せが位置するよう前記絵柄表示装置を表示制御する周期対応変動制御手段を備えたことを特徴とする遊技機。
【請求項４】
前記誘導手段は、前記入賞役物装置に入球した遊技球を保持可能な誘導部を有し、
該誘導部が前記有利口への遊技球の誘導が可能となる誘導位置を前記所定周期で通過するようにし、該誘導部により前記誘導位置に誘導された遊技球のみが前記有利口に入球する構成としたことを特徴とする請求項１乃至３のいずれか１に記載の遊技機。
【請求項５】
前記誘導位置に対する前記誘導部の位置を判定する位置判定手段と、該位置判定手段の判定結果に基づいて、前記誘導部が前記誘導位置を通過するタイミングに対応して前記有効ライン上に前記特定絵柄の組合せが位置するように特定変動パターンを設定する変動パターン設定手段とを備え、
前記周期対応変動制御手段は、該変動パターン設定手段の設定した特定変動パターンに基づいて前記特定変動を行うよう前記絵柄表示装置を表示制御することを特徴とする請求項４に記載の遊技機。
【請求項６】
前記誘導位置に到達した遊技球は必ず前記有利口に誘導され、その誘導経路が略一定となるようにすることで、前記誘導位置に到達してから前記特定絵柄停止制御手段により前記表示部に前記特定絵柄の組合せが停止表示されるまでの成立期間を略一定とし、
前記周期対応変動制御手段は、前記所定周期及び前記成立期間を合わせた特定期間が経過する毎に前記表示部に前記特定絵柄の組合せが位置するよう前記絵柄表示装置を表示制御することを特徴とする請求項４又は５に記載の遊技機。
【請求項７】
前記入賞役物装置の内部に遊技球が入球したことを検出する入口検出部と、前記有利口に入球しない遊技球を入賞役物装置の外部に排出するための非有利口とを、前記入賞役物装置の内部に設け、
前記入口検出部により遊技球が検出されたか否かの判定を行う入口検出判定手段と、
前記非有利口に遊技球が入球したか否かの判定を行う非有利口入球判定手段と、
前記入口検出判定手段及び前記非有利口入球判定手段の両方の判定結果を比較することで、前記入賞役物装置の内部に遊技球があるか否かを判定する内部球判定手段と
を備え、
前記入賞役物装置内に遊技球が入球したと前記入口検出判定手段により判定された場合に、前記周期対応変動制御手段による制御を開始し、さらに前記内部球判定手段により前記入賞役物装置の内部に遊技球があると判定されている間、前記周期対応変動制御手段による制御を継続することを特徴とする請求項１乃至６のいずれか１に記載の遊技機。
【請求項８】
前記入賞役物装置の内部に遊技球が入球したことを検出する入口検出部と、前記有利口に入球しない遊技球を入賞役物装置の外部に排出するための非有利口とを、前記入賞役物装置の内部に設け、
前記入口検出部により遊技球が検出されたか否かの判定を行う入口検出判定手段と、
前記非有利口に遊技球が入球したか否かの判定を行う非有利口入球判定手段と、
前記入口検出判定手段及び前記非有利口入球判定手段の両方の判定結果を比較することで、前記入賞役物装置の内部に遊技球があるか否かを判定する内部球判定手段と
を備え、
前記特定変動制御手段は、前記入賞役物装置内に遊技球が入球したと前記入口検出判定手段により判定された場合に、前記特定変動をそれまでの第１特定変動よりも前記残りの表示領域において変動表示される絵柄の変動速度が遅くなる第２特定変動に変更し、さらに前記内部球判定手段により前記入賞役物装置の内部に遊技球があると判定されている間、前記第２特定変動を継続するよう前記絵柄表示装置を表示制御する特定変動態様変更手段を備えたことを特徴とする請求項１乃至６のいずれか１に記載の遊技機。
【請求項９】
前記特定変動制御手段は、前記表示部に前記特定絵柄の組合せが成立する可能性のあるリーチ絵柄の組合せを停止表示させ、その状況下において残りの表示領域における絵柄の変動表示により前記特定変動を行うよう前記絵柄表示装置を表示制御し、
前記特定絵柄停止制御手段は、前記リーチ絵柄の組合せとともに前記特定絵柄の組合せを成立させる絵柄を停止表示させることにより、前記特定変動を終了するよう前記絵柄表示装置を表示制御し、
前記周期対応変動制御手段は、前記誘導手段の前記所定周期に対応して前記特定絵柄の組合せを成立させる絵柄が前記リーチ絵柄の組合せと並ぶように前記絵柄表示装置を表示制御することを特徴とする請求項１乃至８のいずれか１に記載の遊技機。